(57)【要約】【課題】釣り人が意のままにジグヘッドをコントロールすることができるとともに、生きた餌のような動きをルアーに与えることができるバイブレーションジグヘッドを提供する。【解決手段】先端側が先細り状をなすシンカー２と、シンカー２から後方に突出する軸状をなし、疑似餌３の先端部に挿入するフロントキーパー６と、シンカー２から後方に伸びた線状部材８から上方に起立し、疑似餌３の中間部に挿入するリアキーパー７と、シンカー２から上方に突出する薄板状をなし、シンカー２の上を後方に向けて疑似餌３の上方位置まで伸びるヘッドプレート９と、ヘッドプレート９に形成したライン接続用のラインアイ１０を有する。【選択図】図１
0003220141.tif 000002
【実用新案登録請求の範囲】
【請求項１】
先端側が先細り状をなすシンカーと、シンカーから後方に突出する軸状をなし、疑似餌の先端部に挿入するフロントキーパーと、シンカーから後方に伸びた線状部材から上方に起立し、疑似餌の中間部に挿入するリアキーパーと、シンカーから上方に突出する薄板状をなし、シンカー上を後方に向けて疑似餌の上方位置まで伸びるヘッドプレートと、ヘッドプレートに形成したライン接続用のラインアイを有することを特徴とするバイブレーションジグヘッド。
【請求項２】
シンカーの後部側に、疑似餌先端と対向し、フロントキーパーが突出する端面と、疑似餌底部と対向し、前記端面の下端から後方に伸びて前記線状部材を保持する台座部を有し、薄板状のヘッドプレートがシンカーの先端から後方にずれた位置から立ち上がり、ヘッドプレートに形成した複数のラインアイがシンカーの台座部の上方に位置することを特徴とする請求項１に記載のバイブレーションジグヘッド。
【請求項３】
シンカーの下部にフロントフックを装着する前環を有し、リアキーパーの下部にリアフックを装着する後環を有することを特徴とする請求項１または２に記載のバイブレーションジグヘッド。
【考案の詳細な説明】
【技術分野】
【０００１】
本考案は、ルアーフィッシングに使用されるジグヘッドに関する。
【背景技術】
【０００２】
従来、ジグヘッドには、例えば特許文献１に記載されるものがある。これは、ワームが取替え自在に取り付けられるフックと、当該フックが固定されるシンカー本体と、当該シンカー本体に設けられた第１の環状のアイとを有するジグヘッドである。前記シンカー本体の水底側には後方に延びる腹側延長部が設けられ、前記シンカー本体の水面側には後方に延びる背側延長部が設けられ、前記背側延長部には第２の環状のアイが設けられている。
【０００３】
また、特許文献２は、ヘッド部材であるジグヘッドと、ジグヘッドから後方へ延び出したフロントフックとを備えたワインドヘッドである。フロントフックの軸と平行に後方へ延び出した線材である接続管を有し、接続管に第２の釣り針であるリアフックを取り付けるためのリアフック接続部を形成し、リアフック接続部の先を折り返してリアフックの抜け落ちを防ぐ抜け落ち防止部を備えている。
【先行技術文献】
【特許文献】
【０００４】
【特許文献１】特許第５８４０８１６号
【特許文献２】実用新案登録第３２１７３２９号
【考案の概要】
【考案が解決しようとする課題】
【０００５】
ところで、ジグヘッドは、ジグヘッドに装着したルアー（疑似餌）とともに水中を移動し、生きた餌の擬態としてルアーが生きているかのように動くことが求められている。しかし、生きた餌の動きを再現することは困難である。ラインに引かれるジグヘッドが直進性を再現するだけでは単調な動きとなり、ジグヘッドが全く不規則な動きをすると、釣り人が意図する位置にジグヘッドをコントロールすることが困難となる。
【０００６】
本考案は上記した課題を解決するものであり、釣り人が意のままにジグヘッドをコントロールすることができるとともに、生きた餌のような動きをルアーに与えることができるバイブレーショジグヘッドを提供することを目的とする。
【課題を解決するための手段】
【０００７】
上記課題を解決するために、本考案のバイブレーションジグヘッドは、先端側が先細り状をなすシンカーと、シンカーから後方に突出する軸状をなし、疑似餌の先端部に挿入するフロントキーパーと、シンカーから後方に伸びた線状部材から上方に起立し、疑似餌の中間部に挿入するリアキーパーと、シンカーから上方に突出する薄板状をなし、シンカー上を後方に向けて疑似餌の上方位置まで伸びるヘッドプレートと、ヘッドプレートに形成したライン接続用のラインアイを有することを特徴とする。
【０００８】
本考案のバイブレーションジグヘッドにおいて、シンカーの後部側に、疑似餌先端と対向し、フロントキーパーが突出する端面と、疑似餌底部と対向し、前記端面の下端から後方に伸びて前記線状部材を保持する台座部を有し、薄板状のヘッドプレートがシンカーの先端から後方にずれた位置から立ち上がり、ヘッドプレートに形成した複数のラインアイがシンカーの台座部の上方に位置することを特徴とする。
【０００９】
本考案のバイブレーションジグヘッドにおいて、シンカーの下部にフロントフックを装着する前環を有し、リアキーパーの下部にリアフックを装着する後環を有することを特徴とする。
【考案の効果】
【００１０】
以上のように本考案によれば、バイブレーションジグヘッドおよびバイブレーションジグヘッドに装着した疑似餌（ルアー）は、ラインに引かれて水中を移動する。水中では、ラインに引かれるヘッドプレートのラインアイを支点として水の抵抗を受けるシンカーが振動し、シンカーとともに疑似餌が振動し、生きた餌の擬態として疑似餌が生きているかのような動きとなる。
【００１１】
水中では、薄板状のヘッドプレートが舵板のように水を切って進むことで直進性を発揮する。また、シンカーは水の抵抗を受けることで蛇行性を発揮する。ラインと接続するラインアイの位置がシンカーの先端に近いほどにシンカーの蛇行性が弱まり、ヘッドプレートによる直進性が優勢となる。また、ラインと接続するラインアイの位置がシンカーの先端から後方にずれるほどにシンカーの蛇行性が強まり、ヘッドプレートによる直進性が劣勢となる。このため、ラインアイの位置によってバイブレーションジグヘッドの直進性と蛇行性のバランスが調整できる。最適位置のラインアイにおいてジグヘッドを誘導することで、釣り人が意のままにバイブレーションジグヘッドをコントロールすることができるとともに、生きた餌のような動きを疑似餌に与えることができる。
【図面の簡単な説明】
【００１２】
【図１】本考案の実施の形態に係る水中のバイブレーションジグヘッドの状態を示す模式図
【図２】同実施の形態に係るバイブレーションジグヘッドを示す平面図
【図３】同実施の形態に係るバイブレーションジグヘッドの斜視図
【図４】同実施の形態に係るバイブレーションジグヘッドの側面図
【考案を実施するための形態】
【００１３】
以下、本考案の実施の形態を図面に基づいて説明する。図１〜図４において、バイブレーションジグヘッド１は、先端側が先細り状をなすシンカー（錘）２を有し、シンカー２に疑似餌（ルアー）３を装着するための空間を形成する端面４と台座部５を有している。さらに、シンカー２は疑似餌３を固定するためのフロントキーパー６とリアキーパー７を保持している。
【００１４】
端面４はシンカー２の後端側にあり、疑似餌３の先端と対向している。フロントキーパー６は、疑似餌の先端部に挿入するもので、軸状をなして端面４から突出している。
【００１５】
台座部５は端面４の下端から後方に伸びて疑似餌底部と対向している。リアキーパー７は、疑似餌の中間部に挿入するもので、シンカー２から後方に伸びた線状部材８から上方に起立した二本線材のツインキーパーからなる。線状部材８は、台座部５に保持されている。
【００１６】
シンカー２の上部にはヘッドプレート９が設けてある。ヘッドプレート９は、シンカー２の先端から後方にずれた位置から立ち上がり、シンカー２から上方に突出する薄板状をなし、シンカー２の上を後方に向けて疑似餌３の上方位置まで伸びている。
【００１７】
ヘッドプレート９には複数のラインアイ１０が形成してあり、ラインアイ１０はシンカー２の台座部５の上方に位置している。ここでは、ヘッドプレート９の最後方にあるラインアイ１０には、スナップ１１が接続しており、スナップ１１にライン１２が接続されている。シンカー２の下部にはフロントフック１３を装着する前環１４が設けてあり、リアキーパー７の下部にはリアフック１５を装着する後環１６を設けている。
【００１８】
以上のように本考案によれば、図１に示すように、バイブレーションジグヘッド１およびバイブレーションジグヘッド１に装着した疑似餌（ルアー）３は、ライン１２に引かれて水中を移動する。
【００１９】
図２に示すように、水中では、ライン１２に引かれるヘッドプレート９のラインアイ１０を支点として、水の抵抗を受けるシンカー２が振動する。そして、シンカー２とともに疑似餌３が振動し、生きた餌の擬態として疑似餌３が生きているかのような動きとなる。      
【００２０】
水中では、薄板状のヘッドプレート９が舵板のように水を切って進むことで直進性を発揮する。また、シンカー２は水の抵抗を受けることで蛇行性を発揮する。ライン１２と接続するラインアイ１０の位置がシンカー２の先端に近いほどにシンカー２の蛇行性が弱まり、ヘッドプレート９による直進性が優勢となる。
【００２１】
また、ライン１２と接続するラインアイ１０の位置がシンカー２の先端から後方にずれるほどにシンカー２の蛇行性が強まり、ヘッドプレート９による直進性が劣勢となる。
【００２２】
このため、ラインアイ１０の位置によってバイブレーションジグヘッド１の直進性と蛇行性のバランスが調整できる。最適位置のラインアイ１０においてバイブレーションジグヘッド１を誘導することで、釣り人が意のままにバイブレーションジグヘッド１をコントロールすることができるとともに、生きた餌のような動きを疑似餌３に与えることができる。
【符号の説明】
【００２３】
１  バイブレーションジグヘッド
２  シンカー
６  フロントキーパー
７  リアキーパー
８  線状部材
９  ヘッドプレート
１０  ラインアイ
【図１】
0003220141.tif 000003
【図２】
0003220141.tif 000004
【図３】
0003220141.tif 000005
【図４】
0003220141.tif 000006